(57)【要約】【課題】エンブレムの輪郭が明瞭となるように照らすことのできる発光表示装置を提供する。【解決手段】第１反射層４と、第１反射層４より表側に設けられた第２反射層５と、第１反射層４と第２反射層５との間に設けられた導光体３と、導光体３より表側に設けられたエンブレム２と、を備える。導光体３は、エンブレム２の縁部２ａ，２ｂに沿って露出し且つ表側に突出した凸部３ａ，３ａを有している。導光体３の裏側には、導光体３の厚さ方向から視てエンブレム２の縁部３ａ，３ａに沿う位置に、溝部３ｂ，３ｂが形成されている。凸部３ａ，３ａの最頂部には凹凸条３ａａが形成されており、溝部３ｂの最深部にも凹凸条３ｂａが形成されている。【選択図】 図３
2011063169.tif 000002
【特許請求の範囲】
【請求項１】
第１反射層と、
前記第１反射層より表側に設けられた第２反射層と、
前記第１反射層と前記第２反射層との間に設けられた導光体と、
前記導光体より表側に設けられたエンブレムと、
を備える発光表示装置であって、
前記導光体は、前記エンブレムの縁部に沿って露出した露出部を有しており、前記導光体の裏側には、その厚さ方向から視て前記エンブレムの縁部に沿う位置に、溝部が形成されていることを特徴とする発光表示装置。
【請求項２】
請求項１に記載の発光表示装置において、
前記溝部には、その長手方向に沿って延在する凹凸条が形成されていることを特徴とする発光表示装置。
【請求項３】
請求項１に記載の発光表示装置において、
前記露出部は、前記エンブレムの縁部に沿って表側に突出した凸部を有することを特徴とする発光表示装置。
【請求項４】
請求項３に記載の発光表示装置において、
前記凸部には、その長手方向に沿って延在する凹凸条が形成されていることを特徴とする発光表示装置。
【請求項５】
第１反射層と、
前記第１反射層より表側に設けられた第２反射層と、
前記第１反射層と前記第２反射層との間に設けられた導光体と、
前記導光体より表側に設けられたエンブレムと、
を備える発光表示装置であって、
前記導光体は、前記エンブレムの縁部に沿って露出し且つ表側に突出した凸部を有していることを特徴とする発光表示装置。
【請求項６】
請求項５に記載の発光表示装置において、
前記凸部には、その長手方向に沿って延在する凹凸条が形成されていることを特徴とする発光表示装置。
【発明の詳細な説明】
【技術分野】
【０００１】
本発明は、自動車等の車両に設けられるエンブレムの発光表示装置に関する。
【背景技術】
【０００２】
自動車等の車両に設けられたエンブレムを夜間でも視認できるようにするため、例えば特許文献１に開示されているような発光表示装置がある。
【０００３】
特許文献１に開示されている発光表示装置は、車両の取付面から順に第１反射層、導光体（同文献では「導光本体部」と称している。）、第２反射層（同文献では「遮光層」と称している。）を形成し、さらに、導光体に光を供給するための光源を備えている。光源から出た光は、第１反射層と第２反射層との間で反射を繰り返しながら導光体内を通過し、エンブレムの縁部近傍に露出した導光体の一部から漏出する。この結果、エンブレムはその縁部近傍から漏出した光によって縁取られ、夜間には、エンブレムが空中に浮かんだように見える。
【先行技術文献】
【特許文献】
【０００４】
【特許文献１】特許第４２６１３７８号公報
【発明の概要】
【発明が解決しようとする課題】
【０００５】
ところで、特許文献１に開示されている発光表示装置を含めた従来の発光表示装置を、夜間、さほど遠く離れていない場所から観察すると、エンブレムの輪郭がぼやけて見え、エンブレムを構成する文字、図形、記号等を視認しにくくなることがある。エンブレムは、周囲の者に見せることを目的として車両に設置されていることから、エンブレムの輪郭がぼやけてその構成が視認されにくくなることは好ましいことではない。
【０００６】
本発明は、かかる事情に鑑みて創案されたものであり、エンブレムの輪郭が明瞭となるように照らすことのできる発光表示装置を提供することを目的とする。
【課題を解決するための手段】
【０００７】
上述の課題を解決するための手段として、本発明の発光表示装置は、以下のように構成されている。すなわち、本発明の発光表示装置は、第１反射層と、前記第１反射層より表側に設けられた第２反射層と、前記第１反射層と前記第２反射層との間に設けられた導光体と、前記導光体より表側に設けられたエンブレムと、を備えるものであって、前記導光体は、前記エンブレムの縁部に沿って露出した露出部を有しており、前記導光体の裏側には、その厚さ方向から視て前記エンブレムの縁部に沿う位置に、溝部が形成されていることを特徴としている。
【０００８】
かかる構成を備える発光表示装置によれば、導光体の裏側には、その厚さ方向から視てエンブレムの縁部に沿う位置に、溝部が形成されているので、エンブレムの縁部近傍から漏出する光の光量が高められ、エンブレムの輪郭が明瞭となるように照らされる。
【０００９】
また、本発明の発光表示装置は、前記溝部にその長手方向に沿って延在する凹凸条が形成されていることが望ましい。
【００１０】
かかる構成を備える発光表示装置によれば、エンブレムの縁部近傍から漏出する光が散乱光となり、これにより更にエンブレムの輪郭が明瞭となるように照らされる。
【００１１】
また、本発明の発光表示装置は、前記露出部が前記エンブレムの縁部に沿って表側に突出した凸部を有することが望ましい。
【００１２】
かかる構成を備える発光表示装置によれば、前記凸部から漏出する光が、導光体の非凸部から漏出する光に比べて光量や光質において相違するため、エンブレムの輪郭がさらに明瞭に照らされる。
【００１３】
また、本発明の発光表示装置は、前記凸部に、その長手方向に沿って延在する凹凸条が形成されていることが望ましい。
【００１４】
かかる構成を備える発光表示装置によれば、凸部から漏出する光がばらばらの方向に散乱するため、様々な角度の視点に対してエンブレムの輪郭を明瞭に照らすことができる。
【００１５】
また、本発明の発光表示装置は、第１反射層と、前記第１反射層より表側に設けられた第２反射層と、前記第１反射層と前記第２反射層との間に設けられた導光体と、前記導光体より表側に設けられたエンブレムと、を備えるものであって、前記導光体は、前記エンブレムの縁部に沿って露出し且つ表側に突出した凸部を有していることを特徴とするものであってもよい。
【００１６】
かかる構成を備える発光表示装置によれば、前記凸部から漏出する光が、導光体の非凸部から漏出する光に比べて光量や光質において相違するため、エンブレムの輪郭が明瞭に照らされる。
【００１７】
また、本発明の発光表示装置は、前記凸部にその長手方向に沿って延在する凹凸条が形成されていることが望ましい。
【００１８】
かかる構成を備える発光表示装置によれば、凸部から漏出する光がばらばらの方向に散乱するため、様々な角度の視点に対してエンブレムの輪郭を明瞭に照らすことができる。
【発明の効果】
【００１９】
本発明の発光表示装置によれば、エンブレムの輪郭が明瞭となるように照らすことができる。
【図面の簡単な説明】
【００２０】
【図１】本発明の実施の形態に係る発光表示装置の一例を示す平面図である。
【図２】図１のＡ−Ａ断面図である。なお、導光体の断面を示すハッチングは省略している。
【図３】（ａ）は図２の部分拡大図である。（ｂ）および（ｃ）は凸部に形成された凹凸条の変形例を示す部分断面図である。（ｄ）および（ｅ）は溝部に形成された凹凸条の変形例を示す部分断面図である。なお、（ａ）〜（ｅ）の全てにおいて導光体の断面を示すハッチングは省略している。
【図４】本発明の他の実施形態１に係る発光表示装置の一例を示す断面図である。図１のＡ−Ａ断面図に相当する。なお、導光体の断面を示すハッチングは省略している。
【図５】本発明の他の実施形態２に係る発光表示装置の一例を示す断面図である。図１のＡ−Ａ断面図に相当する。なお、導光体の断面を示すハッチングは省略している。
【発明を実施するための形態】
【００２１】
以下、本発明の実施の形態について図面を参照して説明する。図１は、本発明の実施の形態に係る発光表示装置の一例を示す平面図である。図２は図１のＡ−Ａ断面図である。図３（ａ）は図２の部分拡大図である。なお、本明細書では、発光表示装置１の車両（車両本体に限らず車両に付設された部材等を含む）への取付面側を「裏側」とし、その反対側を「表側」とする。つまり、エンブレム２を見る人に近くなる方を「表側」とする。
【００２２】
発光表示装置１は、図１および図２に示すように、エンブレム２、導光体３、第１反射層４、第２反射層５、遮光層６、光源７等を備えている。
【００２３】
エンブレム２は、図１に示すように、外側に設けられた外設部２Ａと、この外設部２Ａ内に設けられた内設部２Ｂとを有している。このエンブレム２には、例えば、表面にアルミめっき等のめっき処理が施された合成樹脂などが採用される。本実施形態では、エンブレム２として、図１に示すような簡易な図形を例に挙げて説明するが、エンブレム２には、図１に示すもの以外に様々な文字、図形、記号等の形態が採用可能である。なお、図１に示すエンブレム２では、外設部２Ａは楕円状になっており、内設部２Ｂは、その外設部２Ａの中央に直線状に架設されている。
【００２４】
導光体３は、透光性を有する材料、例えば透光性を有するアクリル樹脂、ポリカーボネート樹脂などの合成樹脂で形成され、後述する第１反射層４の表側に図示しない接着剤等にて貼り付けられている。この導光体３は、その厚さ方向表側から視て（以下、同方向から視ることを「平面視」という。）、エンブレム２の外設部２Ａより若干大きい楕円形状となっている。
【００２５】
また、導光体３は、エンブレム２の内側縁部２ｂに沿って、導光体３の厚さ方向に直交する方向（以下「面方向」という。）へ所定寸法Ｓ１（図１参照）だけ露出した露出部Ｚ１と、エンブレム２の外側縁部２ａより面方向へ所定寸法Ｓ２（図１参照）だけ露出した露出部Ｚ２とを有している。
【００２６】
また、導光体３は、その裏側の略中央位置に窪みを有し、その窪みが第１反射層４とともに光源７を配置するための空洞部９を形成している。さらに、導光体３の外周部３Ａは、光源７から遠ざかる方向に膨らんだ湾曲形状をなしている。
【００２７】
なお、エンブレム２に沿って形成された凸部３ａと、導光体３の裏側に形成された溝部３ｂとについては後に詳しく説明する。
【００２８】
第１反射層４は、光に対する反射性を有するものである。この第１反射層４としては、例えば反射性を有するシートを採用することができる。この第１反射層４は、自動車等の車両（例えば車両のボンネット、ラジエータグリル、テールエンドパネルなど）の取付面１０に、図示しない両面テープ、接着剤等の取付手段（貼付手段）にて取付け（貼り付け）られている。なお、第１反射層４は、シート材以外のもの、例えば塗膜などで形成されていてもよい。
【００２９】
第２反射層５も光に対する反射性を有するものである。この第２反射層５としても、例えば反射性を有するシートを採用することができる。この第２反射層５は、その裏側が、図示しない両面テープ、接着剤等の取付手段（貼付手段）により導光体３の所定領域に取付け（貼り付け）られている。ここで、所定領域は、外設部２Ａと内設部２Ｂとで囲まれた領域１１，１１（図１参照）である。上記第２反射層５も塗膜などで形成されていてもよい。なお、非透光性の両面テープ、接着剤等が取付手段として採用される場合は、光の反射をできるだけ阻害しないように、当該取付手段は、第２反射層５の裏側のごく一部に貼付ないし塗布されることが望ましい。
【００３０】
遮光層６は、既述の所定領域１１，１１において第２反射層５の表側に接着剤等の取付け手段（貼付手段）により取付け（貼付け）られている。この遮光層６は、導光体３から受ける光を遮る性質を有するものである。第２反射層５および遮光層６の代わりに光に対する反射性と遮光性の双方を兼ね備えた材質からなるシート材等を採用してもよい。
【００３１】
なお、エンブレム２が遮光性を有しない場合は、エンブレム２と第２反射層との間にも遮光層６が設けられることがある。また、エンブレム２が遮光性および反射性を兼ね備えている場合は、エンブレム２と導光体３との間の第２反射層５が省かれることがある。
【００３２】
光源７としては、例えばＬＥＤ等の発光体が使用される。光源７は、空洞部９内に配置されており、当該空洞部９内には、光源７を発光させるための基盤１２も収容されている。
【００３３】
導光体３は、既述したようにエンブレム２の縁部２ａ，２ｂに沿った露出部Ｚ１，Ｚ２を有している。露出部Ｚ１は、エンブレム２の内側縁部２ｂに沿って表側に突出した凸部３ａとされている。また、露出部Ｚ２は、その一部がエンブレム２の外側縁部２ａに沿って表側に突出した凸部３ａとされ、その余部が既述した外周部３Ａとされている。言うまでも無く凸部３ａ，３ａも透光性を有している。
【００３４】
凸部３ａの突出高さは、特に限定されるものではないが、図２に示すように、第２反射層５、遮光層６等より表側に突出する程度以上あることが望ましい。また、図３（ａ）に示すように、凸部３ａにはその長手方向に沿って延在する凹凸条３ａａが形成されている。この凹凸条３ａａは、同図（ａ）に示すように、凸部３ａの最頂部に設けられていることが望ましいが最頂部以外の部分に設けられていてもよい。
【００３５】
凸部３ａに設けられる凹凸条３ａａの断面形状は、図３（ａ）に示すように、のこ歯状となっているが、その断面形状はこれに限定されない。凹凸条３ａａの断面形状は、例えば、図３（ｂ）に示すように、複数の半円Ｒが連続して並んだ断面形状や、図３（ｃ）に示すように、斜面Ｌと円弧ｒとが交互に連続して並んだ断面形状などであってもよい。なお、図３（ｂ）、（ｃ）に示す凹凸条３ａａも凸部３ａの最頂部に設けられていることが望ましいが最頂部以外の部分に設けられていてもよい。
【００３６】
また、導光体３の裏側には、平面視して、エンブレム２の縁部２ａ，２ｂに沿う位置に溝部３ｂが形成されている。したがって、溝部３ｂは、平面視すると、凸部３ａと重なって見える位置に形成されている。
【００３７】
上記溝部３ｂは、例えば図３（ａ）に示すように、導光体３の裏側から略厚さ方向表側に立ち上がった両側面３ｂＸ，３ｂＸを有している。溝部３ｂの溝深さは、特に限定されるものではないが、図２に例示するものでは、導光体３の厚さの半分程度とされている。溝部３ｂの最深部には、その長手方向に沿って延在する凹凸条３ｂａが形成されている。この凹凸条３ｂａは、溝部３ｂの最深部に設けられていることが望ましいが最深部以外の部分に設けられていてもよい。
【００３８】
溝部３ｂに設けられる凹凸条３ｂａの断面形状は、図３（ａ）に示すように、のこ歯状となっているが、その断面形状はこれに限定されない。凹凸条３ｂａの断面形状は、例えば図３（ｄ）に示すように、複数の半円Ｒが連続して並んだ断面形状や、図３（ｅ）に示すように、斜面Ｌと円弧ｒとが交互に連続して並んだ断面形状などであってもよい。図３（ｄ）、（ｅ）に示す凹凸条３ｂａも溝部３ｂの最深部に設けられていることが望ましいが最深部以外の部分に設けられていてもよい。
【００３９】
なお、エンブレム２が図３（ａ）に示すように第２反射層５に対して両面テープ１４で取付けられた場合、凸部３ａによって、両面テープ１４を隠蔽することができる。
【００４０】
以上のように構成された発光表示装置１において、光源７を発光させると、その光は、空洞部９から導光体３に入り、その大部分は第１反射層４と第２反射層５の間を反射しながら、導光体３内を第１および第２反射層４，５が延在する方向に沿って進む。そして、遮光層６やエンブレム２が設けられていない導光体３の凸部３ａや外周部３Ａ（露出部Ｚ１，Ｚ２）より外部へ漏出する。なお、発光体７から出た光の一部は反射層４，５に当たることなく、内設部２Ｂの縁部２ｂ，２ｂに沿って形成された凸部３ａ，３ａから外部へ漏出する。
【００４１】
光源７から出た光の一部は、外部へ漏出する途中で溝部３ｂを通過する。溝部３ｂを通過する光の一部は、図３（ａ）の矢印Ｐ１，Ｐ３に示す経路を通過する光のように、溝部３ｂの側面３ｂＸ（光源７に近い方の側面）から溝部３ｂ内の空間に入り込む。このとき、導光体３と空気（気体）との屈折率の相違により（ここでは、導光体３の屈折率の方が空気の屈折率より大きいものとする。）、矢印Ｐ１，Ｐ３に示す経路を通過する光は、溝部３ｂの側面３ｂＸに近づくように屈折する。その後、矢印Ｐ１で示す経路を通過する光は、第１反射層４で反射して、溝部３ｂに形成された凹凸条３ｂａから再び導光体３内に入り込む。一方、矢印Ｐ３で示す経路を通過する光も凹凸条３ｂａから再び導光体３内に入り込む。
【００４２】
このように、溝部３ｂの側面３ｂＸ（光源７に近い方の側面）を通過する光は、溝部３ｂの側面３ｂＸに近づくように屈折するため、導光体３の厚さ方向、すなわち、図において溝部３ｂの真上にある凸部３ａの方向へ進み易くなる。この結果、溝部３ｂが無い場合と比較して凸部３ａから漏出する光の量が多くなり、エンブレム２の輪郭が明瞭に照らされるようになる。
【００４３】
また、光源７から出た光の一部は、外部へ漏出する途中で溝部３ｂに形成された凹凸条３ｂａを通過し、ばらばらの方向へ散乱したり、凹凸条３ｂａで乱反射を起こしたりする。例えば、既述した矢印Ｐ１，Ｐ３で示す経路を通過する光は、何れも凹凸条３ｂａを通過して再び導光体３内に戻る際、ばらばらの方向へ散乱する。また、図３（ａ）の矢印Ｐ２に示す経路を通過する光は、凹凸条３ｂａに達すると、一部は凹凸条３ｂａを通り抜けるが余部が凹凸条３ｂａによってばらばらの方向へ乱反射する。この結果、凸部３ａから漏出する光が散乱光となり、エンブレム２の輪郭が明瞭に照らされるようになる。
【００４４】
また、凸部３ａの最頂部にも凹凸条３ａａが設けられているため、この凹凸条３ａａから外部に漏出する際に、光は更にばらばらの方向に散乱する。このため、様々な角度の視点に対してエンブレム２の輪郭を明瞭に照らすことができる。
【００４５】
また、凸部３ａは、導光体３が光を漏出するその他の部分（外周部３Ａ）より表側に突出しているため、外周部３Ａと比較して光量や光質（例えば散乱光の割合等）が相違する。この結果、エンブレム２の輪郭が明瞭となるように照らされる。
【００４６】
＜他の実施形態１＞
以上に本発明の最良の実施形態を説明したが、他の実施形態１として、図４に示すような発光表示装置１Ａでも一定の効果が得られる。
【００４７】
すなわち、図４に示す発光表示装置１Ａは、既述の実施形態に係る発光表示装置１において、溝部３ｂを省いたものである。この発光表示装置１Ａにおいても導光体３は、エンブレム２の縁部２ａ，２ｂに沿って表側に突出した凸部３ａを有するので、エンブレム２の輪郭が明瞭となるように照らされる。
【００４８】
また、導光体３の凸部３ａの最頂部に凹凸条３ａａが設けられていることにより、凸部３ａから漏出する光がばらばらの方向に散乱するため、様々な角度の視点に対してエンブレム２の輪郭が明瞭となるように照らすことができる。
【００４９】
＜他の実施形態２＞
さらに、他の実施形態２として、図５に示すような発光表示装置１Ｂであっても一定の効果が得られる。
【００５０】
すなわち、図５に示す発光表示装置１Ｂは、既述の実施形態に係る発光表示装置１において、凸部３ａを省略し、エンブレムの縁部２ｂに沿って所定幅だけ導光体３から光が漏出するよう、第２反射層５、遮光層６を排除し、導光体３の一部に露出部Ｚ１を設けたものである。このような発光表示装置１Ｂにおいても平面視でエンブレム２の縁部２ａ，２ｂに沿った位置に溝部３ｂが設けられているので、エンブレム２の縁部２ａ，２ｂ近傍から漏出する光の光量が高められ、エンブレム２の輪郭が明瞭となるように照らされる。
【００５１】
また、溝部３ｂには凹凸条３ｂａが形成されているため、エンブレム２の縁部２ａ，２ｂ近傍から漏出する光を散乱光とすることができ、これにより更にエンブレム２の輪郭が明瞭となるように照らされる。
【００５２】
＜他の実施形態３＞
既述の実施形態では、図２、図５に示すように、導光体３の裏側に形成された溝部３ｂは、平面視して、エンブレム２の内設部２Ｂの縁部２ａ，２ｂに沿う位置には設けられていないが、当該位置にも溝部３ｂを設けるようにしてもよい。この場合、空洞部９を形成する導光体３の裏側の窪みと溝部３ｂを形成すべき位置が干渉するときは、当該窪みに溝部３ｂが形成される（上記窪みに溝部３ｂが形成された状態については図示せず。）。
【産業上の利用可能性】
【００５３】
本発明は、例えば、自動車に取付けられるエンブレムの発光表示装置に適用することができる。
【符号の説明】
【００５４】
１  発光表示装置
２  エンブレム
２ａ，２ｂ  縁部
３  導光体
３ａ  凸部
３ａａ  凹凸条
３ｂ  溝部
３ｂａ  凹凸条
４  第１反射層
５  第２反射層
Ｚ１，Ｚ２  露出部
【図１】
2011063169.tif 000003
【図２】
2011063169.tif 000004
【図３】
2011063169.tif 000005
【図４】
2011063169.tif 000006
【図５】
2011063169.tif 000007